(57)【特許請求の範囲】
【請求項１】
水域に設置される水域構造物において、
水中の有機汚染物質を摂取する分解者が生育可能なように構成され、砂土類が充填されている内部空間と、
前記内部空間と連通し、当該内部空間と前記水域の水中との間の前記分解者の往来を可能にする水中開口部と、
前記内部空間と連通し、少なくとも一部が水上空間と接しており、当該内部空間と当該水上空間との間の前記分解者の往来を可能にする水上開口部と
を備え、
前記水上開口部において砂土類が水域に向かって下がる階段状に成形されており、その最上段が前記水上空間に位置するように設けられている
ことを特徴とする水域構造物。
【請求項２】
前記最上段以外の段のうちの少なくとも１つの段が、水位が高い場合は水中に、水位が低い場合は前記水上空間にそれぞれ位置するように設けられている、
請求項１に記載の水域構造物。
【請求項３】
前記階段状に成形されている砂土類の最下段が水中に位置するように設けられている、
請求項１又は２に記載の水域構造物。
【請求項４】
前記内部空間内に充填される前記砂土類の前記水中開口部から水中への流出を防ぐための流出防止手段をさらに備える、
請求項１乃至３の何れかに記載の水域構造物。
【請求項５】
前記水域の水中において酸素を生成する酸素生成手段をさらに備える、
請求項１乃至４の何れかに記載の水域構造物。
【請求項６】
前記酸素生成手段が、光が照射されることで水を分解する光触媒を用いて前記水域の水を分解することにより酸素を生成するように構成されている、
請求項５に記載の水域構造物。
【請求項７】
前記水域構造物が堤防により構成されている、
請求項１乃至６の何れかに記載の水域構造物。
【請求項８】
前記水中開口部が、前記水域構造物が設置される水域の水底と前記内部空間との間の前記分解者の往来を可能にするように構成されている、
請求項７に記載の水域構造物。
【発明の詳細な説明】
【技術分野】
【０００１】
本発明は、水中に含まれる有機汚染物質を除去することができる水域構造物に関する。
【背景技術】
【０００２】
近年、海洋及び河川等における環境汚染が問題となっており、水中の環境を改善するための構造物等が提案されている。例えば、特許文献１には、水域に向かって開いた開口部と、当該開口部に連通する内部空間を有し、前記内部空間に、水流のエネルギーを低減し、且つ、水棲生物の生息を促進することができる物体を配置する水域構築物が開示されている。この水域構築物を、海岸又は河岸等の水域に設置することで、消波による護岸に加えて、水棲生物が生息可能な環境を創出することができる。また、このように水棲生物が生息可能な環境を創出し、当該水域構築物に水棲生物を定着させることで、当該水棲生物による水質の改善を図ることができる。
【先行技術文献】
【特許文献】
【０００３】
【特許文献１】特開平８−２３２２３７号公報
【発明の概要】
【発明が解決しようとする課題】
【０００４】
しかしながら、ヘドロ等の有機汚染物質が堆積し、水質がこれらの汚染物質等により汚染された結果、水棲生物の生息が困難となっている環境においては、そもそも水棲生物がほとんど存在しないため、上述した従来の水域構築物を設置したとしても、水棲定着させることはできず、水質の改善が望めないという問題がある。
【０００５】
本発明は斯かる事情に鑑みてなされたものであり、その主たる目的は、上記課題を解決することができる水域構造物を提供することにある。
【課題を解決するための手段】
【０００６】
上述した課題を解決するために、本発明の一の態様の水域構造物は、水域に設置される水域構造物において、水中の有機汚染物質を摂取する分解者が生育可能なように構成され、砂土類が充填されている内部空間と、前記内部空間と連通し、当該内部空間と前記水域の水中との間の前記分解者の往来を可能にする水中開口部と、前記内部空間と連通し、少なくとも一部が水上空間と接しており、当該内部空間と当該水上空間との間の前記分解者の往来を可能にする水上開口部とを備え、前記水上開口部において砂土類が水域に向かって下がる階段状に成形されており、その最上段が前記水上空間に位置するように設けられていることを特徴とする。
【０００７】
この態様において、前記最上段以外の段のうちの少なくとも１つの段が、水位が高い場合は水中に、水位が低い場合は前記水上空間にそれぞれ位置するように設けられていてもよい。
【０００８】
また、前記態様において、前記階段状に成形されている砂土類の最下段が水中に位置するように設けられていてもよい。
【０００９】
また、前記態様において、前記内部空間内に充填される前記砂土類の前記水中開口部から水中への流出を防ぐための流出防止手段をさらに備えていてもよい。
【００１０】
また、前記態様において、前記水域の水中において酸素を生成する酸素生成手段をさらに備えていてもよい。
【００１１】
また、前記態様において、前記酸素生成手段が、光が照射されることで水を分解する光触媒を用いて前記水域の水を分解することにより酸素を生成するように構成されていてもよい。
【００１２】
また、前記態様において、前記水域構造物が堤防により構成されていてもよい。この場合、前記水中開口部が、前記水域構造物が設置される水域の水底と前記内部空間との間の前記分解者の往来を可能にするように構成されていてもよい。
【発明の効果】
【００１４】
本発明に係る水域構造物によれば、各種の水域において水中の汚染物質を除去するができる。
【図面の簡単な説明】
【００１５】
【図１】実施の形態１に係る水域構造物の構成を示す正面図。
【図２】実施の形態１に係る水域構造物の断面を示す断面図。
【図３】実施の形態１に係る水域構造物の構成を示す斜視図。
【図４】実施の形態１に係る水域構造物を水域に設置したときの状態を示す模式図。
【図５】実施の形態２に係る水域構造物の概略を示す模式図。
【図６】実施の形態２に係る水域構造物の断面を示す断面図。
【図７】実施の形態２に係る水域構造物を水域に設置したときの状態を示す模式図。
【発明を実施するための形態】
【００１６】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１７】
（実施の形態１）
本実施の形態に係る水域構造物の構成について、以下に説明する。
図１は実施の形態１に係る水域構造物１の構成を示す正面図、図２は水域構造物１の断面を示す断面図である。また、図３は、水域構造物１の構成を示す斜視図である。本実施の形態に係る水域構造物１はコンクリート製の堤防であって、水平方向に並列に設けられている複数の内部空間１１，１１，…を有する。これらの内部空間１１，１１，…はそれぞれ、水域構造物１の下端から水域構造物１の上部に向かって、鉛直方向に延びるように形成された空間である。各内部空間１１の内寸は全て同じであって、奥行きが約３ｍ、幅が約２．５ｍである。また、内部空間１１の高さは、内部空間１１の上端が常に水面より上となるように設計される。具体的には、例えば、水域構造物１が設置される水域の大潮における満潮のときの水深が２０ｍである場合、内部空間１１は２１ｍ程度の高さとなるよう設計される。
【００１８】
内部空間１１には、砂土が充填されている。ここで、内部空間１１に充填される砂土には、水域構造物１が設置される水域の近隣の岸辺又は水底土壌等より採取されるものが用いられる。このように砂土が充填された内部空間１１には、生物由来の汚染物質であるデトリタスを餌として摂取し分解する貝類及び甲殻類等のデトリタス食者が導入される。ここで、内部空間１１に導入されるデトリタス食者には、水域構造物１が設置される水域の近隣の岸辺、水底土壌又は水中より採取されるデトリタス食者が用いられる。このように、近隣の岸辺等から採取した砂が内部空間１に充填され、また、近隣の岸辺等で採取されたデトリタス食者がその内部空間１に導入されることで、水域構造物１が設置される付近の環境と同様の環境が、内部空間１１内に形成されることになる。
【００１９】
図１乃至図３に示されるように、水域構造物１の上側には、内部空間１１，１１，…のそれぞれと連通する上部開口部１２，１２，…が設けられている。各上部開口部１２は、正面視矩形状の開口を有しており、その上端が内部空間１１の上端と同じ位置となるように設計される。また、上部開口部１２の下端は、水域構造物１を水域に設置したときに、常に水面よりも低い位置となるように設計される。具体的には、例えば、水域構造物１が設置される水域の大潮における干潮のときの水深が１７ｍである場合、上部開口部１２の下端は、水域構造物１の下端から１６ｍ程度の位置に設計される。上部開口部１２において、内部空間１１に充填されている砂土は、階段状に成形される。ここで、階段状に成形された砂土の最下段は、水域構造物１が設置される水域の大潮における干潮のときの水面よりも低い位置となるように成形される。他方、その最上段は、水域構造物１が設置される水域の大潮における満潮のときの水面よりも高い位置となるように成形される。なお、上部開口部１２において砂土を階段状に成形するにあたっては、成形された砂土が波等の影響により崩れたりしないよう、成形された砂土の側面を樹脂等により固化し、形状を固定する。
【００２０】
また、水域構造物１の下端には、内部空間１１，１１，…のそれぞれと連通する下部開口部１３、１３，…が設けられている。各下部開口部１３は、上部開口部１２が設けられている面と同じ面に設けられており、正面視矩形状の開口を有している。下部開口部１３には、開き目が５ｃｍの金網で構成される蓋１４が設けられている。この蓋１４を設けることにより、内部空間１１に充填された砂土が下部開口部１３から水中へ流出することを防止した上で、内部空間１１に導入されたデトリタス食者が、下部開口部１３を介して、内部空間１１と水中とを自由に行き来することが可能になる。
【００２１】
水域構造物１の表面には、酸化チタンを主成分とする光触媒が塗布されている。この光触媒は、上部開口部１２及び下部開口部１３が設けられている面と同じ面に塗布されている。このように光触媒が塗布された面が水域と接するように水域構造物１を設置した場合、その面に光が照射されると、主成分である酸化チタンの光触媒作用により、その面と接する水が酸素と水素とに分解される。これにより、水域構造物１が設置された付近の水域において、水中の酸素濃度を向上させることができる。
【００２２】
次に、水域構造物１の使用方法を説明する。
図４は水域に設置された水域構造物１を示す模式図である。図４において、符号Ｈは大潮における満潮のときの水位を、符号Ｌは大潮における干潮のときの水位をそれぞれ示している。図４に示すように、水域構造物１は、上部開口部１２及び下部開口部１３が水域側に位置するように、水域に沈められる。また、水域構造物１は、水域構造物１の下端が水域底部と接するように設置される。ここで、上部開口部１２は、その上端が大潮における満潮のときの水位Ｈよりも高く、その下端が大潮における干潮のときの水位Ｌよりも低くなるように設計されている。このため、上部開口部１２は水面と接することになる。また、上部開口部１２においては、前述のとおり、砂土が階段状に成形されている。このため、水位Ｈから水位Ｌまでの範囲の水位において、上部開口部１２には、水面上に位置する砂土の層が存在することになる。これにより、上部開口部１２においては、水中と陸上とを往来するような生物が生息可能となり、多種多様な生物が生育可能な空間を形成することができる。
【００２３】
下部開口部１３は、前述のように、水域構造物１の下端に設けられている。このため、前述のように水域構造物１を設置すると、内部空間１１に導入されたデトリタス食者は、下部開口部１３及び蓋１４を介して水底に移動することができる。一般に堤防等の構造物を水域に設置すると、当該構造物の付近において水流が緩やかとなる。デトリタスは、水中では水流に乗って運ばれるため、水域に構造物を設置すると、水流が緩やかとなる構造物付近の水底に堆積する。このため、下部開口部１３を水域構造物１の下端に設け、デトリタス食者が水底に移動できるようにすることで、水底に堆積するデトリタスを、内部空間１１に導入されたデトリタス食者に摂取させることができる。
【００２４】
このように、本実施の形態では、上部開口部１２において、多種多様な生物が生育可能な空間が形成されている。また、内部空間１１及び水底の間を自由に往来できるようにする下部開口部１３を備えている。ここで、上部開口部１２と下部開口部１３とは、内部空間１１を介して繋がっている。このため、水域構造物１内部には多種多様な生物を導入することができ、且つ、水底に堆積するデトリタスをそれらの生物に摂取させることができる。これにより、水域構造物１が設置される水域において、水質汚染物質であるデトリタスを除去することができ、当該水域の水質を改善することができる。また、上部開口部１２により、多種多様な生物が生育可能な空間が水域構造物１に形成されるため、水域構造物１を水域に設置すると、水域構造物１付近に多種多様な生物を定着させることができ、当該水域において、複雑な生態系を形成することができる。これにより、水域構造物１が設置される水域の環境の改善を図ることができる。
【００２５】
また、本実施の形態では、内部空間１１に砂土類が充填されている。このため、貝類、甲殻類等のような土壌内に潜むデトリタス食者を導入することが可能となる。また、内部空間１１に砂土類が充填されていることにより、デトリタス食者は当該砂土類の中に潜り込むことが可能となり、大型生物等によるデトリタス食者の捕食を防止するができる。これにより、水域構造物１を設置することで、多種のデトリタス食者を設置水域に定着させることが可能になる。
【００２６】
また、本実施の形態では、水域構造物１の水域と接する面に酸化チタンを主成分とする光触媒が塗布されており、酸化チタンの光触媒作用によりその面と接する水を酸素と水素とに分解することで、水中の酸素濃度を上昇させている。一般に、デトリタスに汚染された水域中は、デトリタスに起因して生じる混濁により、沈水植物による光合成が行われにくい。また、デトリタス食者は、デトリタスを餌として摂取した後、当該デトリタスを二酸化炭素等に分解する。この分解において、デトリタス食者は酸素を消費する。これらの作用により、デトリタス等により汚染された水域においては、水中環境が貧酸素状態に陥りやすく、その場合、当該水域に生物が定着しにくくなる。しかし、本実施の形態では、水域構造物１の水域と接する面に塗布された光触媒の採用により、水中の酸素濃度を上昇させている。このため、前述のような貧酸素状態を改善し、水域構造物１が設置される水域に生物を定着させやすくすることができる。
【００２７】
また、本実施の形態の水域構造物１は堤防であるため、水域構造物１を水域に設置することで、前述のような水域環境の改善と併せて、波による岸辺の浸食、洪水等による氾濫、又は津波被害等の水害の防止等を図ることができる。
【００２８】
（実施の形態２）
実施の形態１の水域構造物は堤防であり、その堤防の内部にデトリタス食者が生育可能な環境を形成している。これに対し、実施の形態２に係る水域構造物は、消波ブロックであって、その消波ブロックの内部にデトリタス食者が生育可能な環境が形成される。
【００２９】
本実施の形態における水域構造物の構成について、以下に説明する。
図５は、本実施の形態における水域構造物２の概略を示す模式図、図６は、水域構造物２の断面を示す断面図である。本実施の形態に係る水域構造物２は、四脚の消波ブロックにより実現される。水域構造物２は、コンクリート製の四脚消波ブロックであって、１基の高さが約３．５ｍである。この水域構造物２は、その内部に外形形状に沿って形成される内部空間２１を有している。この内部空間２１には、砂土が充填されている。ここで、内部空間２１に充填される砂土は、実施の形態１と同様に、水域構造物２が設置される水域の近隣の岸辺又は水底土壌等から採取される。また、砂土が充填された内部空間２１には、貝類及び甲殻類等のデトリタス食者が導入される。ここで、内部空間２１に導入されるデトリタス食者は、実施の形態１と同様に、水域構造物２が設置される水域の近隣の岸辺、水底土壌又は水中より採取される。
【００３０】
水域構造物２は、内部空間と連通する複数の開口部２２，２２，２２，…を備える。この開口部２２，２２，２２，…は、水域構造物２の４つの脚部それぞれの先端面の適宜の箇所に３か所ずつ、その４つの脚部それぞれの側面の適宜の箇所に３か所ずつ、合計２４か所設けられている。各開口部２２は、円形状の開口を有しており、その開口の直径は約２０ｃｍである。また、開口部２２には、開き目が５ｃｍの金網で構成される蓋２３が設けられている。この蓋２３を設けることにより、内部空間２１に充填された砂土が開口部２２から外部に流出することを防止した上で、内部空間２１に導入されたデトリタス食者が、開口部２２を介して、内部空間２１と水域構造物２の外部とを自由に行き来することが可能になる。
【００３１】
水域構造物２の表面には、高吸収性ポリマーを主成分としたデトリタス等の有機汚染物質を吸着する吸着剤が塗布されている。これにより、水域構造物２が水中に設置された際に、水域構造物２の表面に、水中に漂う有機汚染物質を吸着させることができる。消波ブロックは、波のエネルギーを減衰又は消散させるための構造体であるため、消波ブロックを水中に設置しても、水流はほとんど変化しない。このため、堤防の場合と比べると、消波ブロックの周辺には有機汚染物質が堆積しにくい。本実施の形態のように、消波ブロックである水域構造物２の表面に吸着剤を塗布し、それを水中に設置することで、水流に乗って運ばれてくる有機汚染物質を水域構造物２の表面に吸着させ、集めることができる。水域構造物２の表面に集められたデトリタスは、内部空間２１に導入されたデトリタス食者により摂取され、分解される。
【００３２】
次に、水域構造物２の使用方法を説明する。
図７は、水域に設置された水域構造物２を示す模式図である。図７において、符号Ｈは大潮における満潮のときの水位を、符号Ｌは大潮における干潮のときの水位をそれぞれ示している。図７に示すように、水域構造物２は、複数の四脚消波ブロック３，３，…と共に水域に設置される。一般に、消波ブロックは、複数の消波ブロックを水底から水上まで積み上げるようにして水域に設置される。これと同様に、水域構造物２は、複数の四脚消波ブロック３，３，…と共に積み上げられる。なお、水域構造物２と共に積み上げられる四脚消波ブロック３，３，…の表面には、水域構造物２と同様に吸着材が塗布されている。ここで、水域構造物２は、４脚のうちの１脚の先端面が水位Ｈよりも上となり、残りの３脚の先端面が水位Ｌよりも下となる位置に設置される。
【００３３】
水域構造物２は、前述のとおり、４つの脚部それぞれの先端に３つの開口部２２，２２，２２を有している。このため、水域構造物２を前述のように設置すると、その先端が水位Ｌよりも下に位置する３脚の当該先端にそれぞれ設けられている開口部２２，２２，２２の開口面は、常に水中と接することになる。このため、内部空間２１に導入されたデトリタス食者は、これらの開口部２２，２２，２２を介して、内部空間２１と水中との間を自由に行き来することができ、水中のデトリタスを摂取することができる。また、水中を移動し、四脚消波ブロック３，３，…の表面に移動することで、四脚消波ブロック３，３，…の表面に吸着しているデトリタスを摂取することもできる。
【００３４】
他方、その先端が水位Ｈよりも上に位置する脚の当該先端に設けられている開口部２２，２２，２２の開口面は、水上の空間と接している。このため、これらの開口部２２，２２，２２を介して水中と陸上とを往来するような生物が生息可能となり、多種多様な生物が生育可能な空間を形成することができる。さらに、４つの脚部それぞれの側面にも複数の開口部２２，２２，２２，…が設けられている。内部空間２１に導入されたデトリタス食者は、これらの開口部２２，２２，２２，…を通じて、水域構造物２の側面に移動することができ、その結果、水域構造物２の表面に吸着しているデトリタスを摂取することが可能になる。
【００３５】
このように、本実施の形態では、内部空間２１に導入されたデトリタス食者が、複数の開口部２２，２２，…を通じて水域構造物２の外部に移動し、水域構造物２又は四脚消波ブロック３，３，…の表面に吸着したデトリタス、及び水中に浮遊するデトリタスを摂取し、分解できるように構成されている。このため、水域構造物２を水域に設置することで、水中に含まれるデトリタスを除去することができ、当該水域の水質を改善することができる。
【００３６】
また、本実施の形態の水域構造物２は消波ブロックであるため、水域構造物２を水域に設置することで、前述のような環境の改善と併せて、当該水域における波のエネルギーの減衰又は消散を図ることができ、岸辺の浸食等を防止することができる。
【００３７】
（その他の実施の形態）
上記の各実施の形態においては、内部空間に充填された砂土が流出しないように、開口部に金網製の蓋が設けられているが、本発明はこれに限定されるものではない。例えば、開口部を通じて、内部空間に導入されたデトリタス食者が内部空間と外部とを往来することができるのであれば、開口部付近の砂土を樹脂等により固化する等によって、内部空間に充填された砂土の外部への流出を防いでもよい。また、内部空間に充填された砂土の流出の程度が甚だしくなければ、蓋を設ける又は開口部の砂土を固化する等の特別な構成により内部空間に充填された砂土の流出を防止しなくても構わない。
【００３８】
また、上記の各実施の形態においては、内部空間に砂土を充填することで、内部空間をデトリタス食者が生育可能な空間としているが、本発明はこれに限定されるものではなく、内部空間をデトリタス食者が生育可能な空間にできるのであれば、内部空間がどのような構成であっても構わない。
【００３９】
また、上記の各実施の形態においては、内部空間にはデトリタス食者を導入し、当該デトリタス食者に水中の汚染物質を摂取させ、分解させることで、水域構造物を設置する水域の水質を改善しているが、本発明はこれに限定されるものではない。例えば、水中の汚染物質を除去することができるのであれば、有機汚染物質を分解することができる微生物等を分解者として導入してもよい。
【００４０】
また、上記の各実施の形態において、水域構造物はコンクリート製であるが、本発明はこれに限定されるものではない。例えば、水圧等に耐えることができ、長期間水域に設置してもその機能を果たし得るのであれば、樹脂、金属等、又はこれらの組み合わせ等のような別の材料を用いてもよい。
【００４１】
また、実施の形態１においては、上部開口部１２において、砂土を階段状に成形しているが、本発明はこれに限定されるものではない。例えば、上部開口部１２において、例えば大潮における満潮のときでも、砂土の一部が水上に突出し、残りの砂土が水中に位置するように構成されているのであれば、砂土が他の形状に成形されていてもよい。具体的には、例えば、上部開口部１２において、水域に向かって下り坂状に傾斜するように砂土が成形されていてもよい。
【００４２】
また、実施の形態１において、上部開口部１２は、水面と接する高さに設けられているが、本発明はこれに限定されるものではない。例えば、上部開口部１２を介して、内部空間１１に導入されたデトリタス食者が水面上の空間又は陸上に移動可能であれば、上部開口部１２が水面よりも高い位置に設けられていてもよい。
【００４３】
また、実施の形態１においては、上部開口部１２において砂土を成形する際に、波等によって形状が崩れないように、成形された砂土の側面を樹脂により固化しているが、本発明はこれに限定されるものではない。例えば、成形された砂土の側面に金網又は金属板等の型枠を設けることにより、砂土の成形形状を維持するようにしてもよい。また、砂土の成形形状の崩壊の程度が甚だしくなければ、樹脂により固化する又は型枠を設ける等の特別な構成を採用しなくても構わない。
【００４４】
また、実施の形態１においては、水域構造物１の表面に塗布された酸化チタンを主成分とする光触媒を用いることで、水中の酸素濃度を向上させているが、本発明はこれに限定されるものではない。例えば、水域構造物１の表面に藻類等の植物を植え、当該植物に酸素を生成させること等によって、水中の酸素濃度を向上させてもよい。
【００４５】
また、実施の形態２においては、水域構造物２が四脚の消波ブロックで構成されているが、本発明はこれに限定されるものではない。例えば、六脚、八脚又は錨型等の他の形状の消波ブロックであってもよい。さらに、実施の形態２においては、１脚のみが水上に位置し、他の３脚は水中に位置するように設置しているが、本発明はこれに限定されるものではなく、各脚の先端に設けられた開口部２２，２２，２２の何れかの開口面が水上に位置し、何れかの開口面が水中に位置するのであれば、水域構造物２はどのように設置されてもよい。
【００４６】
また、実施の形態２においては、水域構造物２は、複数の四脚消波ブロック３，３，…と共に水底より積み上げられているが、本発明はこれに限定されるものではない。例えば、四脚消波ブロック３，３，…を用いずに、複数の水域構造物２，２，…を積み上げてもよい。この場合、積み上げられた水域構造物２，２，…のそれぞれに設けられている開口部２２，２２，…を樹脂管等を用いて相互に連結する、又は各水域構造物２，２，…の開口部２２，２２，…同士が接するように、水域構造物２，２，…を積み上げること等によって、各水域構造物２，２，…の内部空間２１，２１，…が連結されることが望ましい。これにより、デトリタス食者の生育空間を拡大させること等が可能になる。
【００４７】
また、実施の形態２においては、水域構造物２の表面に高吸収性ポリマーを主成分とするヘドロ吸着剤を塗布しているが、本発明はこれに限定されるものではない。例えば、水中に含まれるデトリタス等の有機汚染物質を、水域構造物２の表面に吸着することができるのであれば、有機化合物又は界面活性剤等を表面に塗布してもよい。また、水域構造物２の表面に微細な凹凸を設ける等の構成を採用することにより、その表面に有機汚染物質を付着させるようにしてもよい。
【産業上の利用可能性】
【００４８】
本発明の水域構造物は、各種の水域において水質を改善することができる構造物として有用である。
【符号の説明】
【００４９】
１    水域構造物（堤防）
１１  内部空間
１２  上部開口部
１３  下部開口部
１４  蓋
２    水域構造物（消波ブロック）
２１  内部空間
２２  開口部
２３  蓋
【図１】
0005876301.tif 000002
【図２】
0005876301.tif 000003
【図３】
0005876301.tif 000004
【図４】
0005876301.tif 000005
【図５】
0005876301.tif 000006
【図６】
0005876301.tif 000007
【図７】
0005876301.tif 000008